(57)【特許請求の範囲】
【請求項１】
第１の基板と、
シール材によって前記第１の基板に固定された第２の基板と、を有し、
前記第１の基板は、
トランジスタと、
前記トランジスタに接続する第１の電極と、
前記第１の電極上に有機化合物を含む層と、
前記有機化合物を含む層上に第２の電極と、
前記第１の電極の周縁を覆う隔壁と、
前記隔壁上に遮光性を有するスペーサと、を有し、
前記スペーサは、前記第１の基板に設けられ、
前記スペーサの断面形状は、上辺よりも下辺が短い台形であり、
前記下辺は、前記上辺よりも前記第１の基板に近く、
前記スペーサは、前記有機化合物を含む層と、前記第２の電極とを介して、前記第２の基板に設けられたブラックマトリクスに接する発光装置。
【請求項２】
第１の基板と、
シール材によって前記第１の基板に固定された第２の基板と、を有し、
前記第１の基板は、
トランジスタと、
前記トランジスタに接続する第１の電極と、
前記第１の電極上に有機化合物を含む層と、
前記有機化合物を含む層上に第２の電極と、
前記第１の電極の周縁を覆う隔壁と、
前記隔壁上に遮光性を有するスペーサと、を有し、
前記スペーサは、前記第１の基板に設けられ、
前記スペーサの断面形状は、上辺よりも下辺が短い台形であり、
前記下辺は、前記上辺よりも前記第１の基板に近く、
前記スペーサは、前記有機化合物を含む層と、前記第２の電極とを介して、前記第２の基板に設けられたブラックマトリクスに接し、
前記第２の電極は、隣接画素間で前記スペーサの上面を介することなく連続している領域を有する発光装置。
【発明の詳細な説明】
【技術分野】
【０００１】
有機化合物を含む層を発光層とする発光装置及びその作製方法に関する。
【背景技術】
【０００２】
薄型軽量、高速応答性、直流低電圧駆動などの特徴を有する有機化合物を発光体として
用いた発光素子は、次世代のフラットパネルディスプレイや次世代の照明への応用が検討
されている。
【０００３】
発光素子の発光機構は、一対の電極間に有機化合物を含む層を挟んで電圧を印加するこ
とにより、陰極から注入された電子および陽極から注入された正孔が有機化合物を含む層
（ＥＬ層とも呼ぶ）中の発光中心で再結合して分子励起子を形成し、その分子励起子が基
底状態に戻る際にエネルギーを放出して発光するといわれている。励起状態には一重項励
起と三重項励起が知られ、発光はどちらの励起状態を経ても可能であると考えられている
。
【０００４】
また、ＥＬ層は「正孔輸送層、発光層、電子輸送層」に代表される積層構造を有してい
る。また、ＥＬ層を形成するＥＬ材料は低分子系（モノマー系）材料と高分子系（ポリマ
ー系）材料に大別され、低分子系材料は、蒸着装置を用いて成膜される。
【０００５】
また、陰極、ＥＬ層及び陽極で形成される発光素子をＥＬ素子といい、これには、互い
に直交するように設けられた２種類のストライプ状電極の間にＥＬ層を形成する方式（単
純マトリクス方式）、又はＴＦＴに接続されマトリクス状に配列された画素電極と対向電
極との間にＥＬ層を形成する方式（アクティブマトリクス方式）の２種類がある。しかし
、画素密度が増えた場合には、画素（又は１ドット）毎にスイッチが設けられているアク
ティブマトリクス型の方が低電圧駆動できるので有利であると考えられている。
【０００６】
また、ＥＬ層を形成するＥＬ材料は極めて劣化しやすく、酸素もしくは水の存在により容
易に酸化もしくは吸湿して劣化するため、発光素子における発光輝度の低下や寿命が短く
なる問題がある。そこで、発光素子に封止缶を被せて内部にドライエアを封入し、さらに
乾燥剤を貼り付けることによって、発光素子への酸素の到達、もしくは水分の到達を防止
している。
【０００７】
また、画素電極層周辺を覆う隔壁として機能する絶縁層上にスペーサを有する構造が特許
文献１に開示されている。
【先行技術文献】
【特許文献】
【０００８】
【特許文献１】特開２００６−１２６８１７号公報
【発明の概要】
【発明が解決しようとする課題】
【０００９】
アクティブマトリクス型の発光装置は、基板上のＴＦＴと電気的に接続された電極が陽極
として形成され、陽極上に有機化合物を含む層が形成され、有機化合物を含む層上に陰極
が形成される発光素子を有し、有機化合物を含む層において生じた光を透明電極である陽
極からＴＦＴの方へ取り出すという構造（以下、下面射出構造と呼ぶ）であった。
【００１０】
しかし、この構造においては、解像度を向上させようとすると画素部におけるＴＦＴ及
び配線等の配置により開口率が制限されるという問題が生じていた。
【００１１】
そこで、基板上のＴＦＴと電気的に接続されたＴＦＴ側の電極を陽極として形成し、陽極
上に有機化合物を含む層を形成し、有機化合物を含む層上に透明電極である陰極を形成す
るという構造（以下、上面射出構造とよぶ）の発光素子を有するアクティブマトリクス型
の発光装置を作製する。
【００１２】
上面射出構造は、下面射出構造に比べて、有機化合物を含む層から発光する光が通過す
る材料層を少なくでき、屈折率の異なる材料層間での迷光を抑えることができる。
【００１３】
また、発光素子への酸素の到達、もしくは水分の到達を防止するため、一対の基板間に発
光素子を配置して中空構造とすると、一対の基板間に接着剤などの樹脂を充填する構造に
比べて隣接する画素への光漏れが生じやすくなる。特に、一対の基板の間隔が大きくなれ
ば、なるほど隣接する画素への光漏れが生じる。
【００１４】
さらに、高精細な表示を実現するため、画素のサイズや画素の間隔を小さくすると、隣
接する画素への光漏れが生じやすくなり、表示における色のにじみ、色ずれなどによって
発光装置の表示品質が低下する恐れがある。
【００１５】
そこで、本発明の一態様は、隣接する画素への光漏れを低減した構造を提供することを課
題の一つとする。
【００１６】
また、一対の基板間に発光素子を配置して中空構造とする場合、一対の基板の間隔が２μ
ｍ以上、さらには３μｍ以上でも一対の基板の間隔を一定に保つ構造を提供することも課
題の一つとする。
【課題を解決するための手段】
【００１７】
隣接する画素への光漏れを低減するため、隔壁上に遮光性を有するスペーサを形成し、遮
光性を有するスペーサによって一対の基板の間隔を一定に保つ構造とする。
【００１８】
本発明の一形態は、第１の基板と、該第１の基板上にトランジスタと、該トランジスタに
接続する第１の電極と、該第１の電極上に有機化合物を含む層と、該有機化合物を含む層
上に第２の電極と、第１の電極の周縁を覆う隔壁と、該隔壁上に遮光性を有するスペーサ
と、第１の基板に固定された第２の基板と、該第２の基板に接するブラックマトリクス及
び着色層と、を有し、ブラックマトリクスは、遮光性を有するスペーサ上の第２の電極と
重なり、着色層は、第１の電極と重なる発光装置である。
【００１９】
遮光性を有するスペーサは、着色層（カラーフィルタとも呼ぶ）の間に設けられるブラッ
クマトリクスと重なる位置に位置合わせを行って一対の基板の貼り合わせが行われる。３
色の着色層を用いて、赤色用画素、青色用画素、緑色用画素の３つを用いて、フルカラー
表示を構成する。発光素子から射出される光は白色光であり、３色の着色層のいずれか一
を通過し、さらに第２の基板を通過して所望の色の光を得る。また、遮光性を有するスペ
ーサの上面形状は、線状、網の目状、格子状、または分岐した突出部を有する線状とする
。
【００２０】
また、遮光性を有するスペーサは、光を吸収し、遮光性を有する材料を用いる。例えば、
黒色の有機樹脂を用いることができ、感光性又は非感光性のポリイミドなどの樹脂材料に
、顔料系の黒色樹脂やカーボンブラック、チタンブラック等を混合させて形成すればよい
。黒色樹脂を用いる場合、膜厚は１μｍ以上５μｍ以下とし、電気抵抗率が１×１０５Ω
ｃｍよりも高い材料とする。遮光性を有するスペーサは、発光素子から基板平面に対して
斜めに射出する白色光を吸収し、隣接する画素の着色層を通過してしまうといった光漏れ
を防止することができる。従って、遮光性を有するスペーサは、光漏れによる色度の減衰
を抑制することができる。
【００２１】
また、遮光性を有するスペーサの断面形状は上辺よりも下辺が短い台形とする。具体的に
は、遮光性を有するスペーサの側面は、基板平面に対する角度θが、９０°または９０°
よりも大きくなるようにする。このような断面形状とすることで、遮光性を有するスペー
サの側面に形成される有機化合物を含む層の膜厚を発光領域（第１の電極と重なる領域）
における有機化合物を含む層の膜厚よりも薄くして抵抗を高め、隣接する画素へ電流が流
れることを抑制する。特に有機化合物を含む層の一層として導電性の高い層を設ける場合
に、遮光性を有するスペーサの側面で部分的に薄いと、隣接する画素に電流が流れにくく
なるため有効である。なお、有機化合物を含む層は、遮光性を有するスペーサの側面に薄
く存在することに限定されず、遮光性を有するスペーサの側面で有機化合物を含む層が分
断されている箇所があってもよい。分断されている場合には、有機化合物を含む層を電流
経路として、隣接する画素に電流が流れることを防止できる。
【００２２】
また、遮光性を有するスペーサの上面には有機化合物を含む層と第２の電極が形成される
。そして、遮光性を有するスペーサ上の第２の電極と接するようにブラックマトリクスが
重なって位置合わせされて一対の基板が固定されている。
【００２３】
また、ブラックマトリクスや着色層からの脱ガスが発光素子の信頼性を低下させることを
防止するために、ブラックマトリクス及び着色層を、酸化シリコンなどの無機材料からな
る保護層で覆う構成としてもよい。この場合には、第２の電極は、ブラックマトリクスと
接することなく、第２の電極とブラックマトリクスの間に保護層が設けられた構成となる
。
【００２４】
また、第１の基板と第２の基板の間は、減圧空間、または不活性ガスで充填する。一対の
基板間に充填する不活性ガスは、水分をほとんど含まない窒素ガスを用いることで発光素
子の信頼性を向上させることができる。
【００２５】
第１の基板及び第２の基板としては、透光性を有する基板、代表的にはガラス基板を用い
、フリットガラスと呼ばれる低融点ガラス、またはシール材を用いて固定する。フリット
ガラスを用いる場合は、一方のガラス基板の縁に沿ってフリットガラスからなる閉曲線を
成すパターンを形成後、約４５０℃の焼成を行い、他方のガラス基板にパターンを押し付
け、レーザー溶接によりパターンと他方のガラス基板とを溶着させ、高い密閉性を有する
ガラス封止体を形成する。なお、第２の基板にフリットガラスのパターンを形成する場合
、ブラックマトリクスや着色層を形成した後にフリットガラスの焼成を行うため、パター
ンを形成する領域のみをレーザやランプなどを用いて局所的に加熱を行う。
【００２６】
また、第１の電極は、電気的にトランジスタと接続している。また、一つの画素には、複
数のトランジスタを有している。
【００２７】
トランジスタは活性層として半導体層を有し、半導体層は、珪素を主成分とする半導体膜
、有機材料を主成分とする半導体膜、或いは金属酸化物を主成分とする半導体膜を用いる
ことができる。珪素を主成分とする半導体膜としては、非晶質半導体膜、結晶構造を含む
半導体膜、非晶質構造を含む化合物半導体膜などを用いることができ、具体的にはアモル
ファスシリコン、微結晶シリコン、多結晶シリコン、単結晶シリコンなどを用いることが
できる。また、金属酸化物を主成分とする半導体膜としては、酸化亜鉛（ＺｎＯ）や、亜
鉛とガリウムとインジウムの酸化物（Ｉｎ−Ｇａ−Ｚｎ−Ｏ）や、亜鉛と錫とインジウム
の酸化物（Ｉｎ−Ｓｎ−Ｚｎ−Ｏ）等を用いることができる。
【００２８】
また、トランジスタは、シリコン等の半導体基板やＳＯＩ基板を用いて形成されたトラン
ジスタも用いることができる。
【発明の効果】
【００２９】
ブラックマトリクスと、遮光性を有するスペーサと、隔壁とを同じ位置に重ねることによ
って、一対の基板間隔が２μｍ以上、さらには３μｍ以上でも一対の基板の間隔を一定に
保つパネル構造を実現できる。また、発光素子を用いた表示装置において、隣接する画素
への光漏れを低減したパネル構造を提供することができる。
【図面の簡単な説明】
【００３０】
【図１】本発明の一態様を示す断面図及び上面図である。
【図２】本発明の一態様を示す上面図の一例である。
【図３】本発明の一態様を示す上面図の一例である。
【図４】本発明の一態様を示す発光素子構造の一例である。
【図５】スペーサの断面写真および模式図である。
【図６】本発明の一態様に係る電子機器の例を示す図。
【発明を実施するための形態】
【００３１】
以下では、本発明の実施の形態について図面を用いて詳細に説明する。ただし、本発明は
以下の説明に限定されず、その形態および詳細を様々に変更し得ることは、当業者であれ
ば容易に理解される。また、本発明は以下に示す実施の形態の記載内容に限定して解釈さ
れるものではない。
【００３２】
（実施の形態１）
アクティブマトリクス型の発光装置の例について、図１（Ａ）及び図１（Ｂ）を用いて説
明する。なお、図１（Ｂ）は発光装置を示す平面図であり、図１（Ａ）は図１（Ｂ）を鎖
線Ａ−Ａ’で切断した断面図である。
【００３３】
本実施の形態に係るアクティブマトリクス型の発光装置は、ガラス基板８０１上に設けら
れた画素部８０２と、駆動回路部（ソース線駆動回路）８０３と、駆動回路部（ゲート線
駆動回路）８０４とを有する。画素部８０２、駆動回路部８０３、及び駆動回路部８０４
は、固定部８０５とガラス基板８０１とガラス基板８０６とで形成された空間に封止され
ている。また、ガラス基板８０６には画素部８０２と重なる領域以外の領域に凹部（ザグ
リとも呼ばれる）が形成され、その凹部に乾燥剤８２３を設けて発光素子の信頼性を確保
している。
【００３４】
ガラス基板８０１上には、駆動回路部８０３及び駆動回路部８０４に外部からの信号（
ビデオ信号、クロック信号、スタート信号、またはリセット信号等）や電位を伝達する外
部入力端子を接続するための引き回し配線８０７が設けられる。ここでは、外部入力端子
としてＦＰＣ８０８を設ける例を示している。なお、ここではＦＰＣしか図示されていな
いが、このＦＰＣにはプリント配線基板（ＰＷＢ）が取り付けられていてもよい。本明細
書における発光装置は、発光装置本体だけでなく、発光装置本体にＦＰＣまたはＰＷＢが
取り付けられた状態のものも範疇に含むものとする。
【００３５】
次に、アクティブマトリクス型の発光装置の断面構造について図１（Ａ）を用いて説明
する。なお、ガラス基板８０１上には駆動回路部８０３及び駆動回路部８０４及び画素部
８０２が形成されているが、図１（Ａ）においては、ソース線駆動回路である駆動回路部
８０３と、画素部８０２を示している。
【００３６】
駆動回路部８０３は、ｎチャネル型トランジスタ８０９とｐチャネル型トランジスタ８
１０とを組み合わせたＣＭＯＳ回路を有する例を示している。なお、駆動回路部を形成す
る回路は、種々のＣＭＯＳ回路、ＰＭＯＳ回路、またはＮＭＯＳ回路で形成することがで
きる。また、本実施の形態では、画素部が形成された基板上に駆動回路が形成されたドラ
イバー一体型を示すが、本発明はこの構成に限定されるものではなく、画素部が形成され
た基板とは別の基板に駆動回路を形成することもできる。
【００３７】
画素部８０２は、スイッチング用のトランジスタと、電流制御用のトランジスタ８１２
と、電流制御用トランジスタ８１２の配線（ソース電極またはドレイン電極）に電気的に
接続された陽極８１３とを含む複数の画素により形成されている。また、陽極８１３の端
部を覆って隔壁８１４が形成されている。ここでは、ポジ型の感光性アクリル樹脂を用い
ることにより形成する。なお、スイッチング用のトランジスタや電流制御用のトランジス
タ８１２といったトランジスタの構造はトップゲート型のトランジスタを示したが、特に
限定されない。例えば、逆スタガ型などのボトムゲート型のトランジスタでもよい。
【００３８】
また、トランジスタに用いる半導体層の材料についても特に限定されず、半導体層は、公
知の方法によって形成すればよい。ここでは公知の手段（スパッタ法、ＬＰＣＶＤ法、ま
たはプラズマＣＶＤ法等）によりアモルファスシリコン膜を形成した後、公知の結晶化処
理（レーザー結晶化法、熱結晶化法、またはニッケルなどの触媒を用いた熱結晶化法等）
によって結晶化を行った結晶構造を有する半導体膜を用いる。これらの複数の半導体層は
、後に形成されるトランジスタの活性層となる。駆動回路の高速駆動を実現するために、
トランジスタの活性層は、結晶構造を有する半導体膜を用いることが好ましい。
【００３９】
発光素子８１７は、陽極８１３、有機化合物を含む層（ＥＬ層）８１５、及び陰極８１
６によって構成されている。発光素子の構造、材料等については先に示した通りである。
なお、また、ここでは図示しないが、陰極８１６は外部入力端子であるＦＰＣ８０８に電
気的に接続されている。
【００４０】
隔壁８１４は、陽極８１３の周縁部を覆うように陽極８１３の端部に設けられている。
そして、隔壁８１４の上層に形成される陰極８１６の被覆性を良好なものとするため、隔
壁８１４の上端部または下端部に曲率を有する曲面が形成されるようにするのが好ましい
。例えば、隔壁８１４の上端部または下端部に曲率半径（０．２μｍ〜３μｍ）を有する
曲面を持たせるのが好ましい。また、隔壁８１４の材料としては、感光性の光によってエ
ッチャントに不溶解性となるネガ型の感光性樹脂、或いは光によってエッチャントに溶解
性となるポジ型の感光性樹脂などの有機化合物や、酸化シリコン、酸窒化シリコン等の無
機化合物を用いることができる。
【００４１】
また、隔壁８１４上には、遮光性を有するスペーサ８１９が設けられている。遮光性を有
するスペーサ８１９は、光を吸収し、遮光性を有する材料を用いる。例えば、黒色の有機
樹脂を用いる。遮光性を有するスペーサ８１９は、発光素子８１７から基板平面に対して
斜めに射出する光を吸収し、隣接する画素の着色層を通過してしまうといった光漏れを防
止することができる。
【００４２】
また、図２（Ａ）に遮光性を有するスペーサ８１９の上面形状と、陽極８１３との位置関
係を示す上面図の一例を示す。なお、図２（Ａ）において異なる２種類の上面形状を有す
る遮光性を有するスペーサ８１９を示しており、遮光性を有するスペーサ８１９は画素間
に設ける。線幅が５μｍ〜１０μｍである線状形状であり、且つ、遮光性を有するスペー
サ８１９と、分岐して突出した部分を有する遮光性を有するスペーサ８１９が図示されて
いる。遮光性を有するスペーサ８１９において、分岐して突出した部分は、線幅が５μｍ
程度の細長いスペーサを支える機能を有する。
【００４３】
また、図２（Ａ）の上面形状に限定されず、例えば図２（Ｂ）に示すように長さの異なる
線状の遮光性を有するスペーサ８１９を配置してもよい。また、図３に示すように網目状
に繋げた一つの遮光性を有するスペーサ８１９を配置してもよい。ただし、図３において
は、陰極８１６の抵抗が高くなることにより、電圧降下が大幅に生じる恐れがあるため、
図２（Ａ）や図２（Ｂ）に示したように画素の隅に遮光性を有するスペーサ８１９を形成
しない領域を形成することが好ましい。
【００４４】
また、図１（Ａ）に示すように、遮光性を有するスペーサ８１９の断面形状は上辺よりも
下辺が短い台形とする。具体的には、遮光性を有するスペーサ８１９の側面は、ガラス基
板８０１の平面に対する角度θが、９０°または９０°よりも大きくなるようにする。こ
のような断面形状とすることで、遮光性を有するスペーサ８１９の側面に形成される有機
化合物を含む層８１５の膜厚を発光領域（陽極８１３と重なる領域）における有機化合物
を含む層８１５の膜厚よりも薄くして抵抗を高め、隣接する画素へ電流が流れることを抑
制することができる。遮光性を有するスペーサ８１９の側面や、隣り合うスペーサの隙間
に抵抗が高い領域を形成することができるため、陰極と陽極とが何らかの原因により短絡
した場合、発熱して隣り合う画素の短絡を引き起こし、被害が拡大することを防ぐことが
できる。
【００４５】
また、遮光性を有するスペーサ８１９の上面には有機化合物を含む層８１５と陰極８１６
が形成される。そして、遮光性を有するスペーサ８１９上の陰極８１６と接するようにブ
ラックマトリクス８２２が重なって位置合わせされて一対の基板が固定部８０５によって
固定されている。固定部８０５は、紫外線硬化樹脂や熱硬化樹脂などのシール材を用いて
形成してもよいし、フリットガラスを用いてレーザー溶接させて形成してもよい。
【００４６】
本実施の形態では、シール材としてアクリル系光硬化樹脂やアクリル系熱硬化樹脂を用い
、シールパターンを第２の基板に形成した後、減圧下で貼り合わせを行い、紫外線照射や
熱処理を行って、シール材を硬化させて固定部８０５を形成する。このシール材は閉ルー
プとなって画素部８０２を囲んでいる。なお、シール材には、フィラー（直径１μｍ〜５
μｍ）を含み、且つ、粘度４０〜４００Ｐａ・ｓのものを用いる。
【００４７】
また、図１（Ａ）に示す断面図では発光素子８１７を１つのみ図示しているが、画素部
８０２においては、複数の発光素子がマトリクス状に配置されている。例えば、画素部８
０２に複数の白色の発光素子を設け、それぞれに重なる３種類の着色層８２１（Ｒ、Ｇ、
Ｂ）が重なるように配置することによってフルカラー表示可能な発光装置とする。また、
当該発光装置は、トップエミッション方式と呼ばれ、発光素子８１７からの発光は、図１
（Ａ）中の矢印８２０の方向に射出される。
【００４８】
また、発光素子８１７は、ガラス基板８０１、ガラス基板８０６、及び固定部８０５で
囲まれた閉空間８１８に設けられている。閉空間８１８には、水分が十分低減された不活
性ガスが充填されている。
【００４９】
以上のようにして、本発明の一態様に係るアクティブマトリクス型の発光装置を得るこ
とができる。このような発光装置は、長寿命である特徴を有する。
【００５０】
（実施の形態２）
本実施の形態では、実施の形態１に示した有機化合物を含む層８１５の具体的な積層例を
図４を用いて説明する。
【００５１】
第１の電極層１０３上には、正孔注入層１４１と、第１発光ユニット１４２と、中間層１
４３と、第２発光ユニット１４４と、中間層１４５と、第３発光ユニット１４６と、電子
注入層１４７と、第２の電極層１０７とが順次積層されている。第１の電極層１０３は、
元素周期表の第１族または第２族に属する元素、すなわちリチウム（Ｌｉ）やセシウム（
Ｃｓ）等のアルカリ金属、カルシウム（Ｃａ）、ストロンチウム（Ｓｒ）等のアルカリ土
類金属、及びマグネシウム（Ｍｇ）が挙げられる。また、アルカリ金属、アルカリ土類金
属、またはマグネシウムを含む合金（例えばＭｇＡｇ、ＡｌＬｉ）を用いることもできる
。また、ユウロピウム（Ｅｕ）、イッテルビウム（Ｙｂ）などの希土類金属、または希土
類金属を含む合金を用いることもできる。また、Ａｌ、Ａｇ、ＩＴＯなどの様々な導電性
材料を第１の電極層１０３に用いることもできる。第２の電極層１０７は、金属、合金、
導電性化合物、またはこれらの混合物などが好ましく、具体的には、酸化インジウム−酸
化スズ（ＩＴＯ：Ｉｎｄｉｕｍ  Ｔｉｎ  Ｏｘｉｄｅ）、ケイ素若しくは酸化ケイ素を含
有した酸化インジウム−酸化スズ、酸化インジウム−酸化亜鉛、酸化タングステンと酸化
亜鉛を含む酸化インジウム等が挙げられる。また、金（Ａｕ）、白金（Ｐｔ）、ニッケル
（Ｎｉ）、タングステン（Ｗ）、クロム（Ｃｒ）、モリブデン（Ｍｏ）、鉄（Ｆｅ）、コ
バルト（Ｃｏ）、銅（Ｃｕ）、パラジウム（Ｐｄ）、または金属材料の窒化物（例えば、
窒化チタン）等を第２の電極層１０７に用いることもできる。
【００５２】
第１発光ユニット１４２、第２発光ユニット１４４、及び第３発光ユニット１４６は、少
なくとも発光物質を含む発光層を備えていればよく、発光層以外の層と積層された構造で
あっても良い。発光層以外の層としては、例えば正孔注入性の高い物質、正孔輸送性の高
い物質、正孔輸送性に乏しい（ブロッキングする）物質、電子輸送性の高い物質、電子注
入性の高い物質、並びにバイポーラ性（電子及び正孔の輸送性の高い）の物質等を含む層
が挙げられる。発光物質としては、例えば、蛍光を発光する蛍光性化合物や燐光を発光す
る燐光性化合物を用いることができる。赤（Ｒ）緑（Ｇ）青（Ｂ）のすべての発光に燐光
性化合物を用いると、高い発光効率を得ることができる。
【００５３】
図４では、第１発光ユニット１４２、第２発光ユニット１４４、及び第３発光ユニット１
４６が３つ積層された構成を有する積層型素子を示している。積層型素子の場合において
、第１発光ユニット１４２から得られる発光の発光色と、第２発光ユニット１４４から得
られる発光の発光色と、第３発光ユニット１４６から得られる発光の発光色と、を補色の
関係にすることによって、白色発光を外部に取り出すことができる。なお、第１発光ユニ
ット１４２、第２発光ユニット１４４、及び第３発光ユニット１４６のそれぞれが補色の
関係にある複数の発光層を有する構成としても、白色発光が得られる。補色の関係として
は、青色と黄色、あるいは青緑色と赤色などが挙げられる。
【００５４】
正孔注入層１４１は、正孔注入性の高い物質を含む層である。正孔注入性の高い物質とし
ては、例えば、モリブデン酸化物やバナジウム酸化物、ルテニウム酸化物、タングステン
酸化物、マンガン酸化物等を用いることができる。この他、フタロシアニン（略称：Ｈ２
Ｐｃ）や銅フタロシアニン（略称：ＣｕＰｃ）等のフタロシアニン系の化合物を用いる。
【００５５】
正孔注入層１４１として、正孔輸送性の高い有機化合物にアクセプター性物質を含有させ
た複合材料を用いることが好ましい。これらの複合材料は、正孔輸送性の高い物質とアク
セプター物質とを共蒸着することにより形成することができる。本実施の形態では、正孔
注入層１４１としてモリブデン酸化物と芳香族アミン化合物の複合材料を用いる。
【００５６】
中間層１４３及び中間層１４５は、少なくとも電荷発生領域を含んで形成されていればよ
く、電荷発生領域以外の層と積層された構成であってもよい。電荷発生領域は、同一膜中
に正孔輸送性の高い物質とアクセプター性物質を含有する場合だけでなく、正孔輸送性の
高い物質を含む層とアクセプター性物質を含む層とが積層されていても良い。なお、電荷
発生領域において、正孔輸送性の高い物質に対して質量比で、０．１以上４．０以下の比
率でアクセプター性物質を添加することが好ましい。電荷発生領域に用いるアクセプター
性物質としては、遷移金属酸化物を挙げることができる。具体的には、酸化モリブデンが
特に好ましい。なお、酸化モリブデンは、吸湿性が低いという特徴を有している。また、
電荷発生領域に用いる正孔輸送性の高い物質としては、芳香族アミン化合物、カルバゾー
ル誘導体、芳香族炭化水素、高分子化合物（オリゴマー、デンドリマー、ポリマー等）な
ど、種々の有機化合物を用いることができる。具体的には、１０−６ｃｍ２／Ｖｓ以上の
正孔移動度を有する物質であることが好ましい。但し、電子よりも正孔の輸送性の高い物
質であれば、これら以外のものを用いてもよい。
【００５７】
電子注入層１４７は、電子注入性の高い物質を含む層である。電子注入性の高い物質とし
ては、リチウム（Ｌｉ）、セシウム（Ｃｓ）、カルシウム（Ｃａ）、フッ化リチウム（Ｌ
ｉＦ）、フッ化セシウム（ＣｓＦ）、フッ化カルシウム（ＣａＦ２）等のアルカリ金属、
アルカリ土類金属、またはこれらの化合物が挙げられる。また、電子輸送性を有する物質
中にアルカリ金属又はアルカリ土類金属、マグネシウム（Ｍｇ）、又はそれらの化合物を
含有させたもの、例えばＡｌｑ中にマグネシウム（Ｍｇ）を含有させたもの等を用いるこ
ともできる。本実施の形態では、第２の電極層１０７の形成時に受けるスパッタダメージ
を抑えるため、電子注入層１４７としてモリブデン酸化物と芳香族アミン化合物の複合材
料を用いる。
【００５８】
図４に示すように、有機化合物を含む層８１５の一層として電荷発生層を配置すると、電
流密度を低く保ったまま、高輝度でありながら長寿命な素子とできる。また、電極材料の
抵抗による電圧降下を小さくできるので、大面積での均一発光が可能となる。
【００５９】
また、本実施の形態の発光素子は、上面発光型の場合であるため、有機化合物を含む層
８１５からの上面発光と、第１の電極層１０３で反射した下面発光とが干渉して特定の波
長の光が強めあうように、第１の電極層１０３上に光路長調整膜を形成してもよい。当該
光路長調整膜は透光性を有し、有機化合物を含む層８１５へのキャリアの注入に影響しな
い膜を用いることが好ましい。
【００６０】
中間層１４３及び中間層１４５は導電性が高いため、図１（Ａ）に示すように隔壁８１４
の上の遮光性を有するスペーサ８１９を設けることが重要である。遮光性を有するスペー
サ８１９がない場合、中間層１４３及び中間層１４５は画素間に設けられている隔壁上に
も形成されており、画素の間隔にもよるが、隣接する画素にも電流が流れ、意図しない画
素も発光してしまう恐れがある。
【００６１】
遮光性を有するスペーサ８１９の断面形状は、側面の基板平面に対する角度θが、９０°
または９０°よりも大きくなるようにする。このような断面形状とすることで側面に形成
される有機化合物を含む層８１５の膜厚を薄くすることによって、導電性の高い中間層１
４３及び中間層１４５の膜厚を薄くして抵抗を高くすることができる。
【００６２】
ここで、実際にスペーサを形成し、有機化合物を含む層を蒸着した様子を以下に説明する
。側面の基板平面に対する角度θが、約１００°であるスペーサ上に有機化合物を含む層
が成膜された様子を撮影した断面ＴＥＭ写真を図５（Ａ）に示す。
【００６３】
図５（Ａ）において、スペーサの高さは、約１．８μｍであり、有機化合物を含む層の総
膜厚は約２１０ｎｍである。また、第１の電極は、膜厚５０ｎｍのＴｉ膜と膜厚２００ｎ
ｍのＡｌ膜と膜厚３ｎｍのＴｉ膜の積層であり、第２の電極であるＩＴＯ膜の膜厚は、約
７０ｎｍである。
【００６４】
図５（Ａ）の一部を拡大したＴＥＭ写真が図５（Ｂ）である。また、その模式図が図５（
Ｃ）である。図５（Ｂ）及び図５（Ｃ）に示すように隔壁２０１上のスペーサ２０２の側
面にも薄く有機化合物を含む層２０３が成膜されており、スペーサ上の膜厚約２１０ｎｍ
に比べて約５分の１の膜厚程度の約４０ｎｍにまで薄くなっていることが確認できる。ま
た、スペーサ２０２の側面において、第２の電極２０４であるＩＴＯ膜も薄くなっている
。
【００６５】
この結果から、側面の角度θが９０°または９０°よりも大きいスペーサを用いれば、側
面に形成される有機化合物を含む層２０３の膜厚を薄くすることによって、導電性の高い
中間層１４３及び中間層１４５の膜厚を薄くして抵抗を高くすることができ、隣接する画
素が発光することを防止することができる。なお、図５（Ａ）、図５（Ｂ）のスペーサは
アクリル樹脂を用いており、遮光性を有していないが、光を透過しないもしくは吸収する
材料を分散させて遮光性を持たせたスペーサとすることで、隣接する画素への光漏れも抑
えることができる。遮光性を有するスペーサの材料としては、エポキシ樹脂、アクリル樹
脂、アクリルエポキシ樹脂、シロキサンポリマ系樹脂、ポリイミド樹脂等の樹脂に、光を
透過しないもしくは吸収する材料を分散させたものが使用可能である。また、樹脂に分散
させる材料としては、カーボンブラック、酸化チタン、チタン酸窒化物等を使用すること
が可能である。また、遮光性を有するスペーサは電気抵抗が高いほうが好ましく、具体的
には、電気抵抗率が１×１０５Ωｃｍよりも高い材料とする。図４に示した積層構造にお
いて、正孔注入層１４１として用いたモリブデン酸化物と芳香族アミン化合物の複合材料
の電気抵抗率が１×１０５Ωｃｍであるため、それよりも電気抵抗率が高い材料を用いて
遮光性を有するスペーサを形成すればよい。
【００６６】
なお、本実施の形態は、実施の形態１と自由に組み合わせることができる。
【００６７】
（実施の形態３）
本実施の形態では、上記実施の形態で説明した発光装置を用いて作製される電子機器の
具体例について、図６を用いて説明する。
【００６８】
本発明を適用可能な電子機器の一例として、テレビジョン装置（テレビ、またはテレビ
ジョン受信機ともいう）、コンピュータ用などのモニタ、デジタルカメラ、デジタルビデ
オカメラ、デジタルフォトフレーム、携帯電話機、携帯型ゲーム機、携帯情報端末、音響
再生装置、遊技機（パチンコ機、スロットマシン等）、ゲーム筐体が挙げられる。これら
の電子機器の具体例を図６に示す。
【００６９】
図６（Ａ）は、表示部を有するテーブル９０００を示している。テーブル９０００は、
筐体９００１に表示部９００３が組み込まれている。本発明の一態様を用いて作製される
発光装置は、表示部９００３に用いることが可能であり、表示部９００３により映像を表
示することが可能である。なお、４本の脚部９００２により筐体９００１を支持した構成
を示している。また、電力供給のための電源コード９００５を筐体９００１に有している
。
【００７０】
表示部９００３は、タッチ入力機能を有しており、テーブル９０００の表示部９００３
に表示された表示ボタン９００４を指などで触れることで、画面操作や、情報を入力する
ことができる。また、筐体９００１に設けられたヒンジによって、表示部９００３の画面
を床に対して垂直に立てることもでき、テレビジョン装置としても利用できる。狭い部屋
においては、大きな画面のテレビジョン装置は設置すると自由な空間が狭くなってしまう
が、テーブルに表示部が内蔵されていれば、部屋の空間を有効に利用することができる。
【００７１】
先の実施の形態に示した遮光性を有するスペーサを備えた発光装置を利用すれば、表示
における色のにじみ、色ずれなどが生じにくいため、当該発光装置を表示部９００３に用
いることで、従来に比べて表示品質の高い表示部９００３とすることができる。また、遮
光性を有するスペーサによって一対の基板が保持されているため、衝撃や歪みなどの外力
に極めて強いため、図６（Ａ）に示すテーブルとして好適に用いることができる。
【００７２】
図６（Ｂ）は、テレビジョン装置９１００を示している。テレビジョン装置９１００は
、筐体９１０１に表示部９１０３が組み込まれている。本発明の一態様を用いて作製され
る発光装置は、表示部９１０３に用いることが可能であり、表示部９１０３により映像を
表示することが可能である。なお、ここではスタンド９１０５により筐体９１０１を支持
した構成を示している。
【００７３】
テレビジョン装置９１００の操作は、筐体９１０１が備える操作スイッチや、別体のリ
モコン操作機９１１０により行うことができる。リモコン操作機９１１０が備える操作キ
ー９１０９により、チャンネルや音量の操作を行うことができ、表示部９１０３に表示さ
れる映像を操作することができる。また、リモコン操作機９１１０に、当該リモコン操作
機９１１０から出力する情報を表示する表示部９１０７を設ける構成としてもよい。
【００７４】
図６（Ｂ）に示すテレビジョン装置９１００は、受信機やモデムなどを備えている。テ
レビジョン装置９１００は、受信機により一般のテレビ放送の受信を行うことができ、さ
らにモデムを介して有線または無線による通信ネットワークに接続することにより、一方
向（送信者から受信者）または双方向（送信者と受信者間、あるいは受信者間同士など）
の情報通信を行うことも可能である。
【００７５】
先の実施の形態に示した遮光性を有するスペーサを備えた発光装置を利用すれば、表示
における色のにじみ、色ずれなどが生じにくいため、当該発光装置をテレビジョン装置の
表示部９１０３に用いることで、従来に比べて表示品質の高いテレビジョン装置とするこ
とができる。
【００７６】
図６（Ｃ）はコンピュータであり、本体９２０１、筐体９２０２、表示部９２０３、キ
ーボード９２０４、外部接続ポート９２０５、ポインティングデバイス９２０６等を含む
。コンピュータは、本発明の一態様を用いて作製される発光装置をその表示部９２０３に
用いることにより作製される。
【００７７】
また、先の実施の形態に示した遮光性を有するスペーサを備えた発光装置を利用すれば
、表示における色のにじみ、色ずれなどが生じにくいため、当該発光装置をコンピュータ
の表示部９２０３に用いることで、従来に比べて表示品質の高い表示部とすることが可能
となる。
【００７８】
図６（Ｄ）は、携帯電話機の一例を示している。携帯電話機９５００は、筐体９５０１
に組み込まれた表示部９５０２の他、操作ボタン９５０３、外部接続ポート９５０４、ス
ピーカ９５０５、マイク９５０６などを備えている。携帯電話機９５００は、本発明の一
態様を用いて作製される発光装置を表示部９５０２に用いることにより作製される。
【００７９】
図６（Ｄ）に示す携帯電話機９５００は、表示部９５０２を指などで触れることで、情
報を入力する、電話を掛ける、またはメールを作成するなどの操作を行うことができる。
【００８０】
表示部９５０２の画面は、主として３つのモードがある。第１は、画像の表示を主とす
る表示モードであり、第２は、文字等の情報の入力を主とする入力モードである。第３は
表示モードと入力モードの２つのモードが混合したものである。
【００８１】
例えば、電話を掛ける、またはメールを作成する場合は、表示部９５０２を文字の入力
を主とする入力モードとし、画面に表示させた文字の入力操作を行えばよい。この場合、
表示部９５０２の画面のほとんどにキーボードまたは番号ボタンを表示させることが好ま
しい。
【００８２】
また、携帯電話機９５００内部に、ジャイロ、加速度センサ等の傾きを検出するセンサ
を有する検出装置を設けることで、携帯電話機９５００の向き（縦向きか横向きか）を判
断して、表示部９５０２の画面表示を自動的に切り替えるようにすることができる。
【００８３】
また、画面モードの切り替えは、表示部９５０２を触れる、または筐体９５０１の操作
ボタン９５０３の操作により行われる。また、表示部９５０２に表示される画像の種類に
よって切り替えるようにすることもできる。例えば、表示部に表示する画像信号が動画の
データであれば表示モード、テキストデータであれば入力モードに切り替える。
【００８４】
また、入力モードにおいて、表示部９５０２の光センサで検出される信号を検知し、表
示部９５０２のタッチ操作による入力が一定期間ない場合には、画面のモードを入力モー
ドから表示モードに切り替えるように制御してもよい。
【００８５】
また、表示部９５０２は、イメージセンサとして機能させることもできる。例えば、表
示部９５０２に掌や指を触れ、掌紋、指紋等を撮像することで、本人認証を行うことがで
きる。また、表示部に近赤外光を発光するバックライトまたは近赤外光を発光するセンシ
ング用光源を用いれば、指静脈、掌静脈などを撮像することもできる。
【００８６】
先の実施の形態に示した遮光性を有するスペーサを備えた発光装置を利用すれば、表示
における色のにじみ、色ずれなどが生じにくいため、当該発光装置を携帯電話機の表示部
９５０２に用いることで、従来に比べて表示品質の高い携帯電話機とすることが可能とな
る。また、遮光性を有するスペーサによって一対の基板が保持されているため、衝撃や歪
みなどの外力に極めて強いため、図６（Ｄ）に示す携帯電話機として好適に用いることが
できる。
【００８７】
以上、本実施の形態に示す構成、方法などは、他の実施の形態に示す構成、方法などと適
宜組み合わせて用いることができる。
【符号の説明】
【００８８】
１０３    電極層
１０７    電極層
１４１    正孔注入層
１４２    発光ユニット
１４３    中間層
１４４    発光ユニット
１４５    中間層
１４６    発光ユニット
１４７    電子注入層
２０１    隔壁
２０２    スペーサ
２０３    有機化合物を含む層
２０４    第２の電極
８０１    ガラス基板
８０２    画素部
８０３    駆動回路部
８０４    駆動回路部（ゲート線駆動回路）
８０５    固定部
８０６    ガラス基板
８０７    配線
８０８    ＦＰＣ
８０９    ｎチャネル型トランジスタ
８１０    ｐチャネル型トランジスタ
８１２    電流制御用トランジスタ
８１３    陽極
８１４      隔壁
８１５    有機化合物を含む層
８１６    陰極
８１７      発光素子
８１８    閉空間
８１９    スペーサ
８２０    矢印
８２１    着色層
８２２    ブラックマトリクス
８２３    乾燥剤
９０００    テーブル
９００１    筐体
９００２    脚部
９００３    表示部
９００４    表示ボタン
９００５    電源コード
９１００    テレビジョン装置
９１０１    筐体
９１０３    表示部
９１０５    スタンド
９１０７    表示部
９１０９    操作キー
９１１０    リモコン操作機
９２０１    本体
９２０２    筐体
９２０３    表示部
９２０４    キーボード
９２０５    外部接続ポート
９２０６    ポインティングデバイス
９５００    携帯電話機
９５０１    筐体
９５０２    表示部
９５０３    操作ボタン
９５０４    外部接続ポート
９５０５    スピーカ
９５０６    マイク
【図１】
0006543233.tif 000002
【図２】
0006543233.tif 000003
【図３】
0006543233.tif 000004
【図４】
0006543233.tif 000005
【図５】
0006543233.tif 000006
【図６】
0006543233.tif 000007